(57)【要約】【課題】ミキサーに対して着脱される使い捨て粉砕機を提供すること。【解決手段】本発明の使い捨て粉砕機は、容器の開口部を開閉するカバーと、カバーの中央部に回転可能に設けられ、ミキサーに取り付けられてミキサーの回転力を伝達される回転軸と、容器の内側に収容されるように回転軸に結合し、回転軸の回転力の伝達を受けて容器の内容物を粉砕する複数の粉砕羽根を有する粉砕部と、カバーの中央部から放射状に板面に沿って突設され、粉砕部によって粉砕される内容物が衝突して再粉砕される複数のリブとを備えることを特徴とする。【選択図】図２
2013529948.tif 000002
【特許請求の範囲】
【請求項１】
ミキサーに着脱される使い捨て粉砕機であって、
容器の開口部を開閉するカバーと、
前記カバーの中央部に回転可能に設けられ、前記ミキサーに取り付けられて前記ミキサーの回転力を伝達する回転軸と、
前記容器の内側に収容されるように前記回転軸に結合し、前記回転軸の回転力の伝達を受けて前記容器の内容物を粉砕する複数の粉砕羽根を有する粉砕部と、
前記カバーの中央部から放射状に板面に沿って突設され、前記粉砕部によって粉砕される内容物が衝突して再粉砕される複数のリブと、
を備えることを特徴とする、使い捨て粉砕機。
【請求項２】
前記回転軸と前記粉砕部とが互いに離脱しないように固定させる締結部材をさらに備えることを特徴とする、請求項１に記載の使い捨て粉砕機。
【請求項３】
前記締結部材は、前記粉砕部を貫通して前記回転軸に締結される締結ピンと、前記粉砕部が締結ピンから離脱しないように前記締結ピンに設けられて前記粉砕部を固定する固定板とからなることを特徴とする、請求項２に記載の使い捨て粉砕機。
【請求項４】
前記複数の粉砕羽根は、前記回転軸の軸線に対して等間隔で配置され、各粉砕羽根の羽根面が前記カバーの内側板面に対して互いに異なる角度をもって折り曲げられていることを特徴とする、請求項１に記載の使い捨て粉砕機。
【発明の詳細な説明】
【技術分野】
【０００１】
本発明は、使い捨て粉砕機に関し、さらに詳しくは、果物や野菜などの入った容器に結合し、容器の内側に収容される複数の粉砕羽根を用いて果物や野菜などを粉砕してジュースを生成し、ジュース完成後は容器から取り外して捨てることが可能な使い捨て粉砕機に関する。
【背景技術】
【０００２】
一般に、使い捨て飲料容器とは、一回使用したら捨てる飲料容器である。
【０００３】
このような使い捨て飲料容器は、飲料容器の使用量が多い、ファストフード店、簡易飲食店、テイクアウト店、飲料販売店などの売り場で使われている。すなわち、消費者がコーヒー、ジュース、炭酸飲料などの飲料を注文すると、当該飲料が使い捨て飲料容器に入れられて消費者に提供され、消費者は当該飲料を飲んだ後に飲料容器を捨てる。
【０００４】
近年、生活が豊かになるにつれて、消費者がウェルビーイング飲食を好んでおり、例えば飲料販売売り場では、加工飲料よりも、天然果物及び野菜を直接挽いて作った生ジュースが好まれている。
【０００５】
このような生フルーツジュース及び野菜ジュースは、売り場においてジュースの材料となる果物及び野菜をミキサーで挽いて生成され、使い捨て飲料容器に入れられて消費者に提供されている。
【発明の概要】
【発明が解決しようとする課題】
【０００６】
ところが、売り場では、消費者の嗜好に応じて多様な種類の果物や野菜を用いてジュースを生成するので、ジュースの製造量が多くなるにつれて、果物や野菜を粉砕するミキサーの粉砕羽根を洗浄せずにそのまま使用するので、非衛生的であるうえ、ジュースの商品性が劣る。
【０００７】
また、ミキサーの粉砕羽根を洗浄するためにミキサーから粉砕羽根を分解する場合、粉砕羽根によっては製造者が怪我をする恐れがある。
【０００８】
そこで、本発明は、かかる問題点を解決するために案出されたもので、その目的は、容器を開閉するカバーに複数の粉砕羽根を設けることで、容器に収容された果物や野菜を粉砕してジュースを提供し、一回使用したら捨てることができて衛生的にジュースを供給することが可能な使い捨て粉砕機を提供することにある。
【０００９】
また、本発明の他の目的は、カバーの内側板面に複数のリブが突設され、粉砕羽根によって粉砕される果物及び野菜が前記リブに衝突して再粉砕されることにより、粉砕効果を増大することが可能な使い捨て粉砕機を提供することにある。
【００１０】
また、本発明の別の目的は、カバーと粉砕羽根とが堅固に締結されており、粉砕羽根の高速回転の際にも安全に利用することが可能な使い捨て粉砕機を提供することにある。
【課題を解決するための手段】
【００１１】
上記目的を達成するために、本発明は、ミキサーに対して着脱される使い捨て粉砕機において、前記容器の開口部を開閉するカバーと、前記カバーの中央部に回転可能に設けられ、前記ミキサーに取り付けられて前記ミキサーの回転力を伝達される回転軸と、前記容器の内側に収容されるように前記回転軸に結合し、前記回転軸の回転力の伝達を受けて前記容器の内容物を粉砕する複数の粉砕羽根を有する粉砕部と、前記カバーの中央部から放射状に板面に沿って突設され、前記粉砕部によって粉砕される内容物が衝突して再粉砕される複数のリブと、を備えることを特徴とする。
【００１２】
また、前記回転軸と前記粉砕部とが互いに離脱しないように固定させる締結部材をさらに備えることを特徴とする。
【００１３】
また、前記締結部材は、前記粉砕部を貫通して前記回転軸に締結される締結ピンと、前記粉砕部が前記締結ピンから離脱しないように前記締結ピンに設けられ、前記粉砕部を固定する固定板とからなることを特徴とする。
【００１４】
また、前記複数の粉砕羽根は、前記回転軸の軸線に対して等間隔で配置され、前記各粉砕羽根の羽根面が前記カバーの内側板面に対して互いに異なる角度をもって折り曲げられていることを特徴とする。
【発明の効果】
【００１５】
上述したように、本発明に係る使い捨て粉砕機は、容器を開閉するカバーに複数の粉砕羽根が設けられており、直接果物及び野菜を粉砕してジュースを提供し、一回使用したら捨てることができて衛生的にジュースを供給することができる。
【００１６】
また、本発明は、カバーの内側板面に設けられた複数のリブが、粉砕羽根を介して粉砕された果物及び野菜を再粉砕することにより、良質のジュースを供給することができる。
【００１７】
また、本発明は、カバーと粉砕羽根とが堅固に締結されており、粉砕羽根の高速回転の際にも安全に利用することができる。
【図面の簡単な説明】
【００１８】
【図１】本発明の一実施形態に係る使い捨て粉砕機を示す斜視図である。
【図２】本発明の一実施形態に係る使い捨て粉砕機の構造を示す分解斜視図である。
【図３】本発明の一実施形態に係る使い捨て粉砕機の構造を示す断面図である。
【図４】本発明の一実施形態に係る使い捨て粉砕機が取り付けられるミキサーを示す斜視図である。
【発明を実施するための形態】
【００１９】
以下、本発明の実施形態について詳細に説明する。なお、本発明はその要旨を逸脱しない限り下記の実施形態に限定されない。
【００２０】
図１は本発明の一実施形態に係る使い捨て粉砕機を示す斜視図、図２は本発明の一実施形態に係る使い捨て粉砕機の構造を示す分解斜視図、図３は本発明の一実施形態に係る使い捨て粉砕機の構造を示す断面図である。
【００２１】
図１〜図３に示すように、本発明の一実施形態に係る使い捨て粉砕機１００は、容器１０の開口部１１を開閉するカバー２０と、カバー２０に設けられ、ミキサーに取り付けられて回転する回転軸３０と、回転軸３０に結合し、容器１０に収容された内容物を粉砕する粉砕部４０と、カバー２０の板面に設けられ、粉砕部４０によって粉砕された内容物を再粉砕する複数のリブ５０と、回転軸３０と粉砕部４０とが互いに離脱しないように固定させる締結部材６０とを含んでなる。
【００２２】
容器１０は、一端部が開口した開口部１１を有し、該開口部１１を介して内容物を収容することができる。
【００２３】
前記容器１０は、肉眼で容器１０内の内容物を識別することができるように透明な材質で出来ていることが好ましい。
【００２４】
ここで、内容物は、粉砕部４０によって粉砕されてジュースを提供する多様な種類の果物及び野菜からなる。果物及び野菜以外にも、内容物は粉砕部４０によって粉砕されて飲料として提供される食品からなってもよい。
【００２５】
カバー２０は、容器１０の開口部１１を開閉するように開口部１１に対して着脱可能に設けられる。すなわち、図２に示すように、カバー２０は、容器１０の開口部１１の形状に対応する円形の形状をして、開口部１１に結合することにより容器１０の内部を密閉する。
【００２６】
すなわち、カバー２０の周りには結合突部２１が突設されており、この結合突部２１が容器１０の開口部１１に挿入されて密着結合することにより、容器１０の内部が密閉され、これにより容器１０に収容された内容物が漏れなくなる。
【００２７】
ここで、前記容器１０は、円形以外に楕円形、多角形にも形成でき、この容器１０の開口部１１に対応してカバー２０の形状も様々に変形できる。
【００２８】
カバー２０の中央部には、回転軸３０が貫通する貫通孔２３が設けられている。
【００２９】
回転軸３０は、カバー２０の貫通孔２３に回転可能に設けられ、一端部にはミキサーに取り付けられる取付部３１が設けられている。さらに、回転軸３０の他端部には粉砕部４０が結合できるように複数の係合凹部３５が設けられている。
【００３０】
ここで、取付部３１は、カバー２０の外側板面に露出しており、凸凹状に設けられていてミキサーの駆動軸（図４参照）に取り付けられる。よって、回転軸はミキサーの駆動に応じて回転力の伝達を受ける。
【００３１】
カバーの貫通孔２３には、回転軸３０の回転を案内する案内軸２５が設けられている。
【００３２】
前記案内軸２５は、中空の管状をしてカバー２０の貫通孔２３に固定され、内側に回転軸３０が回転可能に結合する。よって、カバー２０の貫通孔２３における回転軸３０の回転が円滑に行われ得る。
【００３３】
粉砕部４０は、容器１０の内側に収容されるように回転軸３０の他端部に結合する。
【００３４】
このような粉砕部４０は、回転軸３０に結合する結合軸４１と、この結合軸４１の円周面に沿って設けられる複数の粉砕羽根４３、４５、４７、４９とからなる。
【００３５】
前記結合軸４１は、回転軸３０が結合するように中空になっており、内周面に沿って複数の係合部４２が設けられている。すなわち、複数の係合部４２は、回転軸の複数の係合凹部３５に対応するように設けられて該係合凹部と互いに係合され、これにより、回転軸３０の回転の際に結合軸４１が回転軸３０で空回りしないようになって複数の粉砕羽根４３、４５、４７、４９が円滑に内容物を粉砕することができる。
【００３６】
前記複数の粉砕羽根４３、４５、４７、４９は回転軸３０の軸線に対して等間隔で配置されるが、各粉砕羽根４３の羽根面がカバー２０の内側板面に対して互いに異なる角度をもって折り曲げられている。
【００３７】
本実施形態では、図２に示すように、結合軸４１に４つの粉砕羽根４３が等間隔で設けられている。
【００３８】
第１粉砕羽根４３は、カバー２０の内側板面に向かって鋭角をなして折り曲げられており、結合軸４１において第１粉砕羽根４３の反対側に設けられる第２粉砕羽根４５は容器１０の底面に向かって鋭角で折り曲げられている。
【００３９】
また、第１粉砕羽根４３と第２粉砕羽根４５との間に設けられる第３粉砕羽根４７は、容器１０の底面に向かって第２粉砕羽根４５よりさらに大きい角度で折り曲げられており、結合軸４１において第３粉砕羽根４７の反対側に設けられる第４粉砕羽根４９は容器１０の底面に向かって第３粉砕羽根４７よりさらに大きい角度で折り曲げられている。
【００４０】
このような構成において、第１〜第４粉砕羽根４３、４５、４７、４９は、互いに異なる角度で折り曲げられている構造であって、内容物を均一に粉砕することに効果的である。
【００４１】
一方、複数のリブ５０は、カバー２０の中央部から放射状に板面に沿って突設されており、粉砕部４０によって粉砕される内容物が衝突して再粉砕されるようにする。
【００４２】
すなわち、粉砕部４０の複数の粉砕羽根４３、４５、４７、４９が容器１０の内容物を粉砕するとき、粉砕された内容物が複数の粉砕羽根４３、４５、４７、４９に沿って回転するが、この際、カバー２０の内側面に突設された複数のリブ５０に粉砕された内容物が衝突してさらに細かく粉砕される。
【００４３】
また、複数のリブ５０は、カバー２０の板面の剛性を補強する役割を果たして、ミキサーによって粉砕部４０が高速回転するときに粉砕圧によってカバー２０が破れることを防止する。
【００４４】
締結部材６０は、回転軸３０と粉砕部４９とが互いに離脱しないように固定させる役割を果たす。
【００４５】
このような締結部材６０は、粉砕部４０を貫通して回転軸３０に締結される締結ピン６１と、粉砕部４０が締結ピン６１から離脱しないように締結ピン６１に設けられて粉砕部４０を固定する固定板６７とから構成される。
【００４６】
すなわち、回転軸３０の中央部には締結孔３３が設けられており、回転軸３０に結合する粉砕部４０の結合軸４１には締結孔３３に連通する連通孔４２が設けられているから、締結部材６０の締結ピン６１が結合軸４１の連通孔４２を貫いて回転軸３０の締結孔３３に締結され、締結ピン６１に設けられた固定板６７が結合軸４１の端部に密着して結合軸４１を支持する。
【００４７】
ここで、締結ピン６１の端部には締結孔３３の直径より大きい直径の傾斜段部６５を有する締結突起６３が設けられている。この締結突起６３が回転軸３０の締結孔３３に強制嵌めされることにより、回転軸３０と粉砕部４０の結合軸４１が互いに堅固く固定される。
【００４８】
前記回転軸３０、粉砕部４０及び締結部材６０は、使い捨てとして使用できるようにカバー２０と同一の合成樹脂材で出来ていることが好ましい。
【００４９】
このような構成を持つ使い捨て粉砕機１００は、容器１０に果物及び野菜を入れ、カバー２０で容器１０を密閉した後、ミキサーに取り付け、容器１０の内側に収容された粉砕部４０を回転させることにより、果物及び野菜を粉砕して生フルーツジュース及び野菜ジュースを作ることができ、ジュースの完成後は容器１０から粉砕部４０付きカバー２０を分離して捨てることができる。
【００５０】
図４は本発明の一実施形態に係る使い捨て粉砕機が取り付けられるミキサーを示す斜視図である。
【００５１】
図４に示すように、使い捨て粉砕機１００が取り付けられるミキサー２００は、駆動モーター（図示せず）が内蔵されており、ミキサー２００に電源を供給すると、駆動モーター（図示せず）が作動して駆動モーター（図示せず）の駆動軸２１０が回転する。
【００５２】
前記駆動軸２１０の端部には、使い捨て粉砕機１００の回転軸３０の取付部３１が取り付けられるように凸凹状をした動力伝達部２２０が設けられている。
【００５３】
また、ミキサー２００には、使い捨て粉砕機１００のカバー２０が定着されるカバーホルダー２３０が設けられている。すなわち、容器１０に結合したカバー２０が容器より下方に位置するようにカバーホルダー２３０に定着される。この際、駆動モーターの動力伝達部２２０に回転軸３０の取付部３１が取り付けられて駆動モーター（図示せず）の回転力を伝達されることにより、粉砕部４０が容器１０の内容物を粉砕することができる。
【００５４】
しかも、ミキサー２００には、使い捨て粉砕機１００がカバーホルダー２３０に定着されるときに容器１０を覆うコップホルダー２４０が設けられてもよい。
【００５５】
前記コップホルダー２４０は、カバーホルダー２３０に取り付けられ、ミキサー２００の作動で容器１０の内容物が粉砕される際に、容器１０を固定することにより容器１０の遊動を防止して粉砕を安定的に行うことができるようにする。
【００５６】
次に、前述したように構成された本発明の一実施形態に係る使い捨て粉砕機の使用状態を図１〜図４を参照して説明する。
【００５７】
本発明の使い捨て粉砕機１００は、ファストフード店、簡易飲食店、テイクアウト店、飲料販売店などの売り場で使用されるものであって、消費者が嗜好に従って生フルーツジュースを注文すると、該当果物を容器１０に収容した後、カバー２０を結合して容器１０を閉鎖する。
【００５８】
次に、カバー２０の回転軸３０をミキサー２００に取り付けてミキサー２００を作動させると、粉砕部４０が回転して容器１０内の果物を粉砕する。この際、カバー２０の内側面に設けられた複数のリブ５０が、粉砕された果物を再粉砕することにより、果物が細かく粉砕されて生フルーツジュースが完成する。
【００５９】
こうして作られた生フルーツジュースは、容器１０に結合したカバー２０を分離してから消費者に渡される。
【００６０】
他の使用例として、納品業者が、メニュー別に各種果物及び野菜を綺麗に洗った後、容器１０に入れ、粉砕部４０を有するカバー２０で密封して納品すると、ファストフード店、簡易飲食店、テイクアウト店、飲料販売店などの売り場では納品された容器１０のカバー２０をミキサー２００に取り付け、容器１０に収容された果物及び野菜をそのまま粉砕することによりジュースを作ることができ、こうして作られたジュースは容器１０に結合したカバー２０を分離してから消費者に伝達される。
【００６１】
上述したように、本発明に係る使い捨て粉砕機は、容器を開閉するカバーに複数の粉砕羽根が設けられており、直接果物及び野菜を粉砕してジュースを提供し、一回使用したら捨てることができて衛生的にジュースを供給することができる。
【００６２】
また、カバーの内側板面に設けられた複数のリブが、粉砕羽根によって粉砕された果物及び野菜を再粉砕することにより、良質のジュースを供給することができる。
【００６３】
しかも、カバーと粉砕羽根とが堅固に締結されており、粉砕羽根の高速回転の際にも安全に利用することができる。
【００６４】
本発明は、本発明の属する技術分野における通常の知識を有する者であれば、本発明の技術的思想から逸脱しない範囲内において様々な置換変形を加えることが可能なので、前述した実施形態及び添付図面に限定されるものではない。
【符号の説明】
【００６５】
１０    容器
１１    開口部
２０    カバー
２１    結合突部
２３    貫通孔
３０    回転軸
３１    取付部
３３    締結孔
４０    粉砕部
４１    結合軸
４２    連通孔
４３    第１粉砕羽根
４５    第２粉砕羽根
４７    第３粉砕羽根
４９    第４粉砕羽根
５０    リブ
６０    締結部材
６１    締結ピン
６３    締結突起
６５    傾斜段部
２００    ミキサー
２１０    駆動軸
２２０    動力伝達部
２３０    カバーホルダー
２４０    コップホルダー
【図１】
2013529948.tif 000003
【図２】
2013529948.tif 000004
【図３】
2013529948.tif 000005
【図４】
2013529948.tif 000006
【国際調査報告】
2013529948.tif 000007
2013529948.tif 000008
2013529948.tif 000009
2013529948.tif 000010